(57)【要約】  毛切断デバイス（１）の切断ヘッド（１００）用のアタッチメント（２２）が開示される。アタッチメント（２２）は、切断ヘッド（１００）の静止切断部材（１１５）の第１及び第２の側面（１１２、１１４）をそれぞれ覆うように構成される第１及び第２の側方部分（２４、２６）と、第１及び第２の側方部分（２４、２６）を相互接続し、静止切断部材（１１５）の第１の壁部分（１２０）の外面（１２０ｂ）を覆うように構成される、中間部分（２８）とを含む。第１及び第２の側方部分（２４、２６）は、切断ヘッドの切断ゾーンを定める、静止切断部材（１１５）の複数の主カッタ歯（１１８）に対して突出するように構成される。第１及び第２の側方部分（２４、２６）並びに中間部分（２８）は、静止切断部材（１１５）の主カッタ歯（１１８）を露出させる凹部を定める。凹部は、切断ゾーンの長さの少なくとも５０％の距離に亘って中断されない。
2020523121.tif 000002
【特許請求の範囲】
【請求項１】
切断ヘッドと、該切断ヘッドに解放可能に接続可能なアタッチメントとを含む、毛切断システムであって、
前記切断ヘッドは、
−  曲げられた断面を有する複数の主カッタ歯が設けられる、曲げられた中間壁部分によって相互に接続される、第１の壁部分及び第２の壁部分を含む、静止切断部材と、
−  該静止切断部材の前記第１及び第２の壁部分によって囲まれる案内空間内でカッタ軸に沿って往復動式に移動可能であり、前記主カッタ歯との協働のための複数の副カッタ歯を含む、可動切断部材とを含み、
前記第１の壁部分及び前記第２の壁部分は、それぞれ、内面と、外面とを有し、前記第１の壁部分及び前記第２の壁部分の前記内面は、互いに面し合い、前記第１の壁部分の前記外面は、動作中にユーザの皮膚に面する前記切断ヘッドの皮膚対向面の部分であり、
前記複数の主カッタ歯は、前記カッタ軸に平行に延び且つある長さを有する、前記切断ヘッドの切断ゾーンを定め、
前記静止切断部材は、前記カッタ軸に平行な方向に離間する対向する第１及び第２の側面を有し、
前記アタッチメントは、
−  前記アタッチメントが前記切断ヘッドに接続されるときに、前記静止切断部材の前記第１及び第２の側面をそれぞれ覆うように構成される、第１及び第２の側方部分と、
−  前記アタッチメントの前記第１及び第２の側方部分を相互接続し、前記アタッチメントが前記切断ヘッドに接続されるときに前記第１の壁部分の前記外面を覆うように構成される、中間部分とを含み、
前記アタッチメントが前記切断ヘッドに接続されるときに、
−  前記アタッチメントの前記第１及び第２の側方部分は、前記カッタ軸に対して垂直であり且つ前記第１の壁部分に平行である方向において前記主カッタ歯に対して突出し、
−  前記アタッチメントの前記第１及び第２の側方部分並びに前記中間部分は、前記主カッタ歯を露出させる凹部を定め、該凹部は、前記カッタ軸に平行な方向に延び、前記切断ゾーンの前記長さの少なくとも５０％の距離に亘って前記カッタ軸に平行な前記方向において中断されず、
前記アタッチメントの前記第１及び第２の側方部分は、それぞれ、前記アタッチメントが前記切断ヘッドに接続されるときの前記第１の壁部分に平行な断面において見られるときに、凸状外面を有することを特徴とする、
毛切断システム。
【請求項２】
前記凹部は、前記切断ゾーンの前記長さの少なくとも９０％の距離に亘って中断されない、請求項１に記載の毛切断システム。
【請求項３】
前記凹部は、前記中間部分の連続的な長手方向エッジによって境界付けられ、該連続的な長手方向エッジは、前記アタッチメントが前記切断ヘッドに接続されるときに、前記カッタ軸に平行な方向に延びる、請求項１又は２に記載の毛切断システム。
【請求項４】
前記中間部分は、細長い壁を含み、該細長い壁は、前記アタッチメントが前記切断ヘッドに接続されるときに、前記カッタ軸に平行な方向に延び、前記カッタ軸に対して垂直な断面において見られるときに、凸状外面を有する、請求項１乃至３のうちのいずれか１項に記載の毛切断システム。
【請求項５】
前記細長い壁の前記凸状外面は、前記カッタ軸に対して垂直な前記断面において１０ｍｍ〜５０ｍｍの間の曲率半径を有する、請求項４に記載の毛切断システム。
【請求項６】
前記アタッチメントが前記切断ヘッドに接続されるときに、前記第１及び第２の側方部分は、０．５ｍｍ〜３ｍｍの距離だけ、前記カッタ軸に対して垂直であり且つ前記第１の壁部分に平行である方向において前記主カッタ歯に対して突出する、請求項１乃至５のうちのいずれか１項に記載の毛切断システム。
【請求項７】
前記第１及び第２の側方部分の前記凸状外面は、それぞれ、前記カッタ軸に対して垂直であり且つ前記第１の壁部分に平行である方向における前記それぞれの側方部分の長さの０．５〜２倍の間である、前記第１の壁部分に平行な前記断面における曲率半径を有する、請求項１に記載の毛切断システム。
【請求項８】
前記アタッチメントの前記第１及び第２の側方部分は、それぞれ、前記アタッチメントが前記切断ヘッドに接続されるときの前記第１の壁部分に対して垂直であり且つ前記カッタ軸に平行である断面において見られるときに、凸状外面を有する、請求項１乃至７のうちのいずれか１項に記載の毛切断システム。
【請求項９】
前記第１及び第２の側方部分の前記凸状外面は、それぞれ、１ｍｍ〜５ｍｍの間である、前記第１の壁部分に対して垂直であり且つ前記カッタ軸に平行である前記断面における曲率半径を有する、請求項８に記載の毛切断システム。
【請求項１０】
前記静止切断部材は、曲げられた断面を有する複数の更なる主カッタ歯が設けられる、曲げられた更なる中間壁部分によって相互に接続される、第３の壁部分及び第４の壁部分を含み、前記複数の主カッタ歯及び前記複数の更なる主カッタ歯は、前記カッタ軸に対して垂直な方向に離間する前記静止切断部材の対向する第３及び第４の側面にそれぞれ設けられ、
前記案内空間は、前記第３及び第４の壁部分によって更に囲まれ、
前記可動切断部材は、前記更なる主カッタ歯と協働する複数の更なる副カッタ歯を含み、
前記第３の壁部分及び前記第４の壁部分は、それぞれ、内面と、外面とを有し、前記第３及び第４の壁部分の前記内面は、互いに面し合い、前記第３の壁部分の前記外面は、前記切断ヘッドの前記皮膚対向面の部分であり、
前記複数の更なる主カッタ歯は、前記カッタ軸に平行に延び且つある長さを有する、前記切断ヘッドの更なる切断ゾーンを定め、
前記アタッチメントの前記中間部分は、前記アタッチメントが前記切断ヘッドに接続されるときに、前記第３の壁部分の前記外面を覆うように構成され、
前記アタッチメントが前記切断ヘッドに接続されるときに、
前記アタッチメントの前記第１及び第２の側方部分は、前記カッタ軸に対して垂直であり且つ前記第３の壁部分に平行である方向において前記更なる主カッタ歯に対して突出し、
前記アタッチメントの前記第１及び第２の側方部分並びに前記中間部分は、前記更なる主カッタ歯を露出させる更なる凹部を定め、該更なる凹部は、前記カッタ軸に平行な方向に延び、前記更なる切断ゾーンの前記長さの少なくとも５０％の距離に亘って前記カッタ軸に平行な前記方向において中断されない、
請求項１乃至９のうちのいずれか１項に記載の毛切断システム。
【請求項１１】
前記更なる凹部は、前記連続的な長手方向エッジに平行に延びる前記中間部分の更なる連続的な長手方向エッジによって境界付けられる、請求項１０に記載の毛切断システム。
【請求項１２】
前記アタッチメントが前記切断ヘッドに接続されるときに、前記アタッチメントの前記第１及び第２の側方部分は、第１の距離だけ前記主カッタ歯に対して突出し、前記第１の距離とは異なる第２の距離だけ前記更なる主カッタ歯に対して突出する、請求項１０又は１１に記載の毛切断システム。
【請求項１３】
前記アタッチメントは、解放可能なスナップオンコネクタによって前記切断ヘッドに接続可能である、請求項１乃至１２のうちのいずれか１項に記載の毛切断システム。
【請求項１４】
毛切断デバイスの切断ヘッドに解放可能に接続可能なアタッチメントであって、
前記切断ヘッドは、
−  曲げられた断面を有する複数の主カッタ歯が設けられる、曲げられた中間壁部分によって相互に接続される、第１の壁部分及び第２の壁部分を含む、静止切断部材と、
−  該静止切断部材の前記第１及び第２の壁部分によって囲まれる案内空間内でカッタ軸に沿って往復動式に移動可能であり、前記主カッタ歯との協働のための複数の副カッタ歯を含む、可動切断部材とを含み、
前記第１の壁部分及び前記第２の壁部分は、それぞれ、内面と、外面とを有し、前記第１及び第２の壁部分の前記内面は、互いに面し合い、前記第１の壁部分の前記外面は、動作中にユーザの皮膚に面する前記切断ヘッドの皮膚対向面の部分であり、
前記複数の主カッタ歯は、前記カッタ軸に平行に延び、ある長さを有する、前記切断ヘッドの切断ゾーンを定め、
前記静止切断部材は、前記カッタ軸に平行な方向において離間する対向する第１及び第２の側面を有し、
当該アタッチメントは、
−  当該アタッチメントが前記切断ヘッドに接続されるときに前記静止切断部材の前記第１及び第２の側面をそれぞれ覆うように構成される、第１及び第２の側方部分と、
−  当該アタッチメントの前記第１及び第２の側方部分を相互接続し、当該アタッチメントが前記切断ヘッドに接続されるときに前記第１の壁部分の前記外面を覆うように構成される、中間部分とを含み、
当該アタッチメントが前記切断ヘッドに接続されるときに、
−  当該アタッチメントの前記第１及び第２の側方部分は、前記カッタ軸に対して垂直であり且つ前記第１の壁部分に平行である方向において前記主カッタ歯に対して突出し、
−  当該アタッチメントの前記第１及び第２の側方部分並びに中間部分は、前記主カッタ歯を露出させる凹部を定め、該凹部は、前記カッタ軸に平行な方向に延び、前記切断ゾーンの前記長さの少なくとも５０％の距離に亘って前記カッタ軸に平行な前記方向において中断されず、
当該アタッチメントの前記第１及び第２の側方部分は、それぞれ、当該アタッチメントが前記切断ヘッドに接続されるときの前記第１の壁部分に平行な断面において見られるときに、凸状外面を有することを特徴とする、
アタッチメント。
【発明の詳細な説明】
【技術分野】
【０００１】
本発明は、一般的に、切断ヘッドと、切断ヘッドに解放可能に接続可能なアタッチメントとを含む、毛切断システムに関する。
【背景技術】
【０００２】
電気毛切断デバイスは、体毛を切断するために広く使用されており、典型的には、ハンドルと、切断ヘッドとを含む。往復動するカッタを備える切断ヘッドが知られており、切断ヘッドは、静止的な外側切断部材と、切断動作を行うために外側切断部材に対して往復動する移動可能な内側切断部材とを含む。幾つかの構成において、外側切断部材は、列において配置されて提供される複数のカッタ歯を備えることがあり、内側切断部材も、外側切断部材のカッタ歯と協働するために列において配置される複数のカッタ歯を含むことがある。使用中、カッタ歯は、ユーザの皮膚と直接的に接触するようになる。これは不快感及び／又は皮膚刺激を引き起こすことがある。
【０００３】
更に、ユーザの皮膚上の切断ヘッドの操作性を助けるために、切断ヘッドの（往復動するカッタの移動軸に対して垂直な方向における）深さは、典型的には比較的小さい。この小さな深さは、切断ヘッドが皮膚の輪郭に従うためにハンドルに対して枢動又は揺動するように設計されるときに問題を引き起こし得る。ユーザは、切断ヘッドをピボット軸について枢動させるために、切断ヘッドに力を加える必要がある。切断ヘッドの比較的小さい深さの故に、加えられる力は、切断ヘッドを皮膚の奥深くに押し込むことがある。その場合、皮膚は、カッタ歯の周りの領域にバンチ(bunch)又はドーム(dome)を生じさせることがある。これは皮膚の敏感な部分やより柔らかい部分で特に問題となることがある。したがって、皮膚の擦過傷、皮膚の切傷、疼痛、毛切断性能の低下、皮膚の刺激のリスクの増大がある。
【０００４】
国際公開第２０１５／０７５１５９号は、そのような毛切断デバイスを開示している。このデバイスは、切断ヘッドの静止切断部材の対向する主側に設けられる２つの平行な列のカッタ歯を有する。切断ヘッドの深さ、即ち、カッタ歯の２つの平行な列の間の距離は、比較的小さい。切断ヘッドの静止切断部材は、皮膚刺激を低減させるために、側面保護要素を備えることが記載されている。しかしながら、側面保護要素は、使用中の皮膚のドーム形成を防止しないことがあり、従って、カッタ歯は、依然として使用に皮膚刺激を引き起こすことがある。
【０００５】
米国特許第２，４７０，５９４Ａ号は、ヘアクリッパ用のテーパ状クリップを開示している。クリップは、シート材料の本体部材と、本体部材と一体化され、各々が本体部材の同じ端から延びる、一対の平行な離間したフック部材とを含む。本体部材の前方部分は、ヘアクリッパ用のテーパ状クリップとして機能するように曲げられる。フック部材は、ヘアクリッパの前方端の上に摺動可能にフックされてよく、それにより、本体部材上に一体的に設けられる側方フランジが、ヘアクリッパの隣接する側面を弾性的に締め付けて、テーパ状クリップをヘアクリッパ上の作動位置に保持する。
【０００６】
国際公開第２０１３／１５０４１２号Ａ１号は、電動毛切断器具のブレードセット用の静止ブレードを開示している。静止ブレードは、第１の壁と、第２の壁とを有し、各壁は、第１の表面と、第１の表面から見て外方を向く第２の表面と、複数の横方向に離間する長手方向に延びる突起を定める横方向に延びる前縁とを定める。第１及び第２の壁の第１の表面は、少なくともそれらの前縁で互いに面し合う一方で、第１及び第２の壁の前縁に沿う面し合う突起は、それらの先端で相互に接続されて、複数の概ねＵ形状の歯を定める。第１及び第２の壁の第１の表面は、それらの間のブレードセットの可動ブレードのために横方向に延びるガイドスロットを定める。
【発明の概要】
【発明が解決しようとする課題】
【０００７】
従って、毛切断性能を減少させることなく、より快適な毛切断動作を提供することがある、改良された毛切断システムを提供することが望ましいことがある。
【課題を解決するための手段】
【０００８】
本発明の第１の態様によれば、切断ヘッドと、切断ヘッドに解放可能に接続可能なアタッチメントとを含む、毛切断システムが提供され、切断ヘッドは、曲げられた断面を有する複数の主カッタ歯が設けられる、曲げられた中間壁部分によって相互に接続される、第１の壁部分及び第２の壁部分を含む、静止切断部材と、静止切断部材の第１及び第２の壁部分によって囲まれる案内空間内でカッタ軸に沿って往復動式に移動可能であり、主カッタ歯との協働のための複数の副カッタ歯を含む、可動切断部材とを含み、第１の壁部分及び第２の壁部分は、それぞれ、内面と、外面とを有し、第１の壁部分及び第２の壁部分の内面は、互いに面し合い、第１の壁部分の記外面は、動作中にユーザの皮膚に面する切断ヘッドの皮膚対向面であり、複数の主カッタ歯は、カッタ軸に平行に延び且つある長さを有する、切断ヘッドの切断ゾーンを定め、静止切断部材は、カッタ軸に平行な方向に離間する対向する第１及び第２の側面を有し、アタッチメントは、アタッチメントが切断ヘッドに接続されるときに、静止切断部材の第１及び第２の側面をそれぞれ覆うように構成される、第１及び第２の側方部分と、アタッチメントの第１及び第２の側方部分を相互接続し、アタッチメントが切断ヘッドに接続されるときに第１の壁部分の記外面を覆うように構成される、中間部分とを含み、アタッチメントが切断ヘッドに接続されるときに、アタッチメントの第１及び第２の側方部分は、カッタ軸に対して垂直であり且つ第１の壁部分に平行である方向において主カッタ歯に対して突出し、アタッチメントの第１及び第２の側方部分並びに中間部分は、主カッタ歯を露出させる凹部を定め、凹部は、カッタ軸に平行な方向に延び、切断ゾーンの長さの少なくとも５０％の距離に亘ってカッタ軸に平行な方向において中断されず、アタッチメントの第１及び第２の側方部分は、それぞれ、アタッチメントが切断ヘッドに接続されるときの第１の壁部分に平行な断面において見られるときに、凸状外面を有する。
【０００９】
アタッチメントの凹部は、切断ゾーンの長さの少なくとも５０％、少なくとも６０％、少なくとも７０％、少なくとも７５％、少なくとも８０％、少なくとも８５％、少なくとも９０％、又は少なくとも９５％の距離に亘って、カッタ軸に平行な方向において中断されなくてよい。
【００１０】
アタッチメントは、歯なしであってよい。主カッタ歯を拡張する或いは主カッタ歯と重なり合う歯又はコーム歯がないことがある。中間要素は、ユーザの皮膚と接触するために構成される実質的に連続的な外面を含んでよい。
【００１１】
本発明に従った毛切断システムの実施形態において、アタッチメントの凹部は、中間部分の連続的な長手方向エッジによって境界付けられ、連続的な長手方向エッジは、アタッチメントが切断ヘッドに接続されるときに、カッタ軸に平行な方向に延びる。アタッチメントが切断ヘッドに接続されるときに、連続的な長手方向エッジは、主カッタ歯の部分のみが露出されるように、主カッタ歯の上に配置される。代替的に、連続的な長手方向エッジは、主カッタ歯が完全に露出されるように、第１の壁部分の外面の上に配置されてよい。
【００１２】
本発明に従った毛切断システムの更なる実施形態において、中間部分は、細長い壁を含み、細長い壁は、アタッチメントが切断ヘッドに接続されるときに、カッタ軸に平行な方向に延び、カッタ軸に対して垂直な断面において見られるときに、凸状外面を有する。中間部分は、アタッチメントが切断ヘッドに接続されるときに、凸状外面が第１の壁部分に対して垂直な方向において静止切断部材の第１の壁部分の外面から離間するように構成されてよい。中間部分は、アタッチメントが切断ヘッドに接続されるときに、凸状外面が第１の壁部分の外面から０．２〜４ｍｍの最大だけ離間するように構成されてよい。細長い壁の凸状外面は、カッタ軸に対して垂直な前記断面において１０ｍｍ〜５０ｍｍの曲率半径を有してよい。
【００１３】
本発明に従った毛切断システムの特定の実施形態では、アタッチメントが切断ヘッドに接続されるときに、アタッチメントの第１及び第２の側方部分は、０．５ｍｍ〜３ｍｍの距離だけ、カッタ軸に対して垂直であり且つ第１の壁部分に平行である方向において主カッタ歯に対して突出する。
【００１４】
本発明に従った毛切断システムの更なる実施形態において、アタッチメントの第１及び第２の側方部分の凸状外面は、それぞれ、カッタ軸に対して垂直であり且つ第１の壁部分に平行である方向におけるそれぞれの側方部分の長さの０．５〜２倍の間である、第１の壁部分に平行な前記断面における曲率半径を有する。
【００１５】
本発明に従った毛切断システムの一層更なる実施形態において、アタッチメントの第１及び第２の側方部分は、それぞれ、アタッチメントが切断ヘッドに接続されるときの第１の壁部分に対して垂直であり且つカッタ軸に平行である断面において見られるときに、凸状外面を有する。第１及び第２の側方部分の凸状外面は、それぞれ、１ｍｍ〜５ｍｍである、第１の壁部分に対して垂直であり且つカッタ軸に平行である前記断面における曲率半径を有してよい。
【００１６】
本発明に従った毛切断システムの好ましい実施形態において、静止切断部材は、曲げられた断面を有する複数の更なる主カッタ歯が設けられる、曲げられた更なる中間壁部分によって相互に接続される、第３の壁部分及び第４の壁部分を含み、複数の主カッタ歯及び複数の更なる主カッタ歯は、カッタ軸に対して垂直な方向に離間する静止切断部材の対向する第３及び第４の側面にそれぞれ設けられ、案内空間は、第３及び第４の壁部分によって更に囲まれ、可動切断部材は、更なる主カッタ歯と協働する複数の更なる副カッタ歯を含み、第３の壁部分及び第４の壁部分は、それぞれ、内面と、外面とを有し、第３及び第４の壁部分の内面は、互いに面し合い、第３の壁部分の外面は、切断ヘッドの皮膚対向面の部分であり、複数の更なる主カッタ歯は、カッタ軸に平行に延び且つある長さを有する、切断ヘッドの更なる切断ゾーンを定め、アタッチメントの中間部分は、アタッチメントが切断ヘッドに接続されるときに、第３の壁部分の外面を覆うように構成され、アタッチメントが切断ヘッドに接続されるときに、アタッチメントの第１及び第２の側方部分は、カッタ軸に対して垂直であり且つ第３の壁部分に平行である方向において更なる主カッタ歯に対して突出し、アタッチメントの第１及び第２の側方部分並びに中間部分は、更なる主カッタ歯を露出させるアタッチメントの更なる凹部を定め、更なる凹部は、カッタ軸に平行な方向に延び、更なる切断ゾーンの長さの少なくとも５０％の距離に亘ってカッタ軸に平行な前記方向において中断されない。
【００１７】
好ましい実施形態において、アタッチメントの凹部及び更なる凹部は、切断ゾーン及び更なる切断ゾーンのそれぞれの長さの少なくとも５０％、少なくとも６０％、少なくとも７０％、少なくとも７５％、少なくとも８０％、少なくとも８５％、少なくとも９０％又は少なくとも９５％の距離に亘って、カッタ軸に平行な前記方向において中断されないことがある。
【００１８】
本発明に従った毛切断システムの更なる実施形態において、アタッチメントの更なる凹部は、凹部を境界付ける連続的な長手方向エッジに平行に延びる中間部分の更なる連続的な長手方向エッジによって境界付けられる。アタッチメントが切断ヘッドに接続されるとき、更なる連続的な長手方向エッジは、更なる主カッタ歯の一部のみが露出されるように、更なる主カッタ歯の上に配置されてよい。代替的に、更なる連続的な長手方向エッジは、更なる主カッタ歯が完全に露出されるように、第３の壁部分の外面の上に配置されてよい。
【００１９】
本発明に従った毛切断システムの更なる実施形態では、アタッチメントが切断ヘッドに接続されるときに、アタッチメントの第１及び第２の側方部分は、第１の距離だけ主カッタ歯に対して突出し、第１の距離とは異なる第２の距離だけ更なる主カッタ歯に対して突出する。
【００２０】
本発明に従った毛切断システムの好ましい実施形態において、アタッチメントは、解放可能なスナップオンコネクタによって切断ヘッドに接続可能である。
【００２１】
本発明の第２の態様によれば、本明細書に記載するような本発明に従った毛切断システムの任意の実施形態における使用のために、毛切断デバイスの切断ヘッドに解放可能に接続可能なアタッチメントが提供される。よって、第２の態様によれば、毛切断デバイスの切断ヘッドに解放可能に接続可能なアタッチメントが提供され、切断ヘッドは、曲げられた断面を有する複数の主カッタ歯が設けられる、曲げられた中間壁部分によって相互に接続される、第１の壁部分及び第２の壁部分を含む、静止切断部材と、静止切断部材の第１及び第２の壁部分によって囲まれる案内空間内でカッタ軸に沿って往復動式に移動可能であり、主カッタ歯との協働のための複数の副カッタ歯を含む、可動切断部材とを含み、第１の壁部分及び前記第２の壁部分は、それぞれ、内面と、外面とを有し、第１及び第２の壁部分の内面は、互いに面し合い、第１の壁部分の外面は、動作中にユーザの皮膚に面する切断ヘッドの皮膚対向面の部分であり、複数の主カッタ歯は、カッタ軸に平行に延び、ある長さを有する、切断ヘッドの切断ゾーンを定め、静止切断部材は、カッタ軸に平行な方向において離間する対向する第１及び第２の側面を有し、当該アタッチメントは、当該アタッチメントが切断ヘッドに接続されるときに静止切断部材の第１及び第２の側面をそれぞれ覆うように構成される、第１及び第２の側方部分と、当該アタッチメントの第１及び第２の側方部分を相互接続し、当該アタッチメントが切断ヘッドに接続されるときに第１の壁部分の外面を覆うように構成される、中間部分とを含み、当該アタッチメントが切断ヘッドに接続されるときに、当該アタッチメントの第１及び第２の側方部分は、カッタ軸に対して垂直であり且つ第１の壁部分に平行である方向において主カッタ歯に対して突出し、当該アタッチメントの第１及び第２の側方部分並びに中間部分は、主カッタ歯を露出させるアタッチメントの凹部を定め、凹部は、カッタ軸に平行な方向に延び、切断ゾーンの長さの少なくとも５０％の距離に亘ってカッタ軸に平行な前記方向において中断されず、当該アタッチメントの第１及び第２の側方部分は、それぞれ、当該アタッチメントが切断ヘッドに接続されるときの第１の壁部分に平行な断面において見られるときに、凸状外面を有する。
【００２２】
本発明をより良い理解のために、また、それをどのように実行に移されるかをより明確に示すために、次に、一例として、添付の図面を参照する。
【図面の簡単な説明】
【００２３】
【図１】本発明の毛切断システムの一部である毛切断デバイスを概略的に示している。
【図２】図１の毛切断デバイスの切断ヘッドを概略的に示している。
【図３】図２の線Ａ−Ａに沿う図２の切断ヘッドの断面図を概略的に示している。
【図４】図２の切断ヘッドを、切断ヘッドに取り付けられる本発明に従ったアタッチメントと共に、概略的に示している。
【図５】図４に示すように切断ヘッドに取り付けられたときのアタッチメントの側面図を概略的に示している。
【図６】切断ヘッドに取り付けられたときのアタッチメントの図４の線Ｂ−Ｂに沿う断面図を概略的に示している。
【発明を実施するための形態】
【００２４】
図１は、本発明に従った毛切断システムの一部である毛切断デバイス１を概ね示している。毛切断デバイス１は、ハンドル４に取り付けられた切断ヘッド１００を含む電気シェービング又はトリミングデバイスである。この構成において、切断ヘッド１００は、ハンドル４に対してピボット軸Ｐについて枢動可能である。以下に詳細に記載するように、切断ヘッド１００は、第１の切断ゾーン１０６と、細長く互いに概ね平行な第２の切断ゾーン１０８とを含む。
【００２５】
ここで、切断ヘッド１００の第１の切断ゾーン１０６のみを断面図で示す図２及び図３を参照すると、切断ヘッド１００は、静止外側切断部材１１５と、静止外側切断部材１１５の案内空間１２６内でカッタ軸１２５に沿って往復動式に移動可能な可動内側切断部材１２４とを含む。可動切断部材１２４は、ハンドル４内に設けられるモータ１０によって駆動されるように構成される。カッタ軸１２５は、旋回軸Ｐに平行である。静止切断部材１１５は、カッタ軸１２５に平行な方向に離間し且つ互いに概ね平行である、対向する第１及び第２の側面１１２、１１４を有する。静止切断部材１１５は、カッタ軸１２５に対して垂直な方向に離間する対向する第３及び第４の側面１１７、１１９を更に有する。第１及び第２の切断ゾーン１０６、１０８は、それぞれ、静止切断部材１１５の対向する第３及び第４の側面１１７、１１９に配置されている。
【００２６】
第１の切断ゾーン１０６の位置で、静止切断部材１１５は、本実施形態では概ね平面的であり且つ互いに平行である、第１の上方壁部分１２０及び第２の下方壁部分１２２を含む。第１及び第２の壁部分１２０、１２２は、複数の第１の主カッタ歯１１８が設けられている、曲げられた第１の中間壁部分１２１によって相互に接続されている。第１及び第２の壁部分１２０、１２２並びに第１の中間壁部分１２１は、適切な曲げプロセスによって単一の金属シートから製造されてよい。この実施形態において、第１の主カッタ歯１１８は、それぞれ、カッタ軸１２５に対して垂直な平面において曲げられたＵ形状の断面を有する。第１の主カッタ歯１１８は、カッタ軸１２５に平行な方向に離隔して、それらの間に毛進入開口１１６を定める。第１の壁部分１２０及び第２の壁部分１２２は、それぞれ、内面１２０ａ、１２２ａと、外面１２０ｂ、１２２ｂとを有する。内面１２０ａ、１２２ａは、互いに面し合う。第１の壁部分１２０の外面１２０ｂは、動作中にユーザの皮膚に面するか或いはユーザの皮膚と接触する、切断ヘッド１００の皮膚対向面１２８の一部である。
【００２７】
同様に、第２の切断ゾーン１０８の場所で、静止切断部材１１５は、本実施形態では概ね平面的であり且つ互いに平行である、第３の上方壁部分１２０’及び第４の下方壁部分を含む。図２では、第３の壁部分１２０’のみが見えるが、図３では、第３及び第４の壁部分は見えない。第３の壁部１２０’及び第４の壁部分は、図２に示すように、複数の第２の主カッタ歯１１８’が設けられている、曲げられた第２の中間壁部分１２１’によって相互に接続されている。第３及び第４の壁部分及び第２の中間壁部分１２１’は、適切な曲げプロセスによって、第１及び第２の壁部分１２０、１２２と共に、単一の金属シートから製造されてよい。この実施形態において、第２の主カッタ歯１１８’は、それぞれ、カッタ軸１２５に対して垂直な平面において曲げられたＵ形状の断面を有する。第２の主カッタ歯１１８’は、カッタ軸１２５に平行な方向に離間して、それらの間に毛進入開口１１６’を定める。第３の壁部分１２０’及び第４の壁部分は、それぞれ、内面及び外面を有する。図２では、第３の壁部１２０’の外面１２０’ｂのみが見える。第３及び第４の壁部分の内面は、互いに面し合う。第３の壁部分１２０’の外面１２０’ｂは、切断ヘッド１００の皮膚対向面１２８の一部である。
【００２８】
よって、複数の第１の主カッタ歯１１８は、静止切断部材１１５の第３の側面１１７に設けられ、切断ヘッド１００の第１の切断ゾーン１０６を定め、第１の切断ゾーン１０６は、カッタ軸１２５に平行に延びる。複数の第２主カッタ歯１１８’は、静止切断部材１１５の第４の側面１１９に設けられ、切断ヘッド１００の第２の切断ゾーン１０８を定め、第２の切断ゾーン１０８は、カッタ軸１２５に平行に延びる。
【００２９】
可動切断部材１２４のための案内空間１２６は、静止切断部材１１５の第１、第２、第３及び第４の壁部分１２０、１２２、１２０’によって定めら、囲まれる。可動切断部材１２４は、板形状キャリアを含み、板形状キャリアは、この実施形態において、静止切断部材１１５の第１、第２、第３及び第４の壁部分１２０、１２２、１２０’に概ね平衡に延びる。キャリアは、（詳細に図示しない）複数の第１の副カッタ歯１２７を備え、複数の第１の副カッタ歯は、静止切断部材１１５の第１の主カッタ歯１１８と協働して、切断ヘッド１００の第１の切断ゾーン１０６で毛切断動作を行うように構成される。同様に、キャリアは、（詳細は図示しない）複数の第２の副カッタ歯を備え、複数の第２の副カッタ歯は、静止切断部材１１５の第２の主カッタ歯１１８’と協働して、切断ヘッド１００の第２の切断ゾーン１０８で毛切断動作を行うように構成される。図３の断面図に見られるように、第１の副カッタ歯１２７は、静止切断部材１１５の曲げられた第１の中間壁部分１２１内に配置され、第１の中間壁部分１２１によって囲まれている。同様に、第２の副カッタ歯は、静止切断部材１１５の曲げられた第２の中間壁部分１２１’内に配置され、第２の中間壁部分１２１によって囲まれている。
【００３０】
使用中、毛は、第１の主カッタ歯１１８の間の毛進入開口１１６を介して並びに第２の主カッタ歯１１８’の間の毛進入開口１１６’を介して、第１及び第２の切断ゾーン１０６、１０８に入る。静止的な第１の主カッタ歯１１８及び往復動する第１の副カッタ歯１１８は、第１の切断ゾーン１０６上で切断動作を行うよう協働し、静止的な第２の主カッタ歯１１８’及び往復動する第２の副カッタ歯１１８は、第２の切断ゾーン１０８上で切断動作を行うよう協働する。切断動作は、一般的に、可動切断部材１２４のキャリアの平面に平行な切断平面内で行われてよい。第１及び第２の切断ゾーン１０６、１０８は、カッタ軸１２５に平行な方向に長手方向に延び、切断が起こる連続的な領域又は地域として定められてよい。第１及び第２の切断ゾーン１０６、１０８の対向する第１及び第２の端は、切断が起こり得る第１及び第２の切断ゾーン１０６、１０８の最外側位置に定められてよい。換言すれば、第１及び第２の切断ゾーン１０６，１０８は、より大きな切断地域又はゾーンのサブ地域又は領域ではなく、切断が起こり得る全体的な地域である。よって、第１及び第２の切断ゾーン１０６、１０８の長さＺは、第１及び第２の切断ゾーン１０６、１０８の前記対向する第１及び第２の端の間の距離として定められてよい。図示する実施形態において、第１及び第２の切断ゾーン１０６、１０８は、等しい長さＺを有する。
【００３１】
図４は、この実施形態では、切断ヘッド１００を皮膚の上で移動させるときの毛切断デバイス１のユーザの快適さを高めるために切断ヘッド１００に取り付けられる、ブレードガードの形態を有するアタッチメント２２を示している。アタッチメント２２は、本発明に従った毛切断システムの一部であり、切断ヘッド１００に解放可能に接続可能である。換言すれば、ユーザは、切断ヘッド１００に接続されたアタッチメント２２を備える或いは備えない毛切断デバイス１を使用するために、アタッチメント２２を切断ヘッド１００に接続してよく、アタッチメント２２を切断ヘッド１００から取り外してよい。図４は、アタッチメント２２を切断ヘッド１００に接続された状態で示している。
【００３２】
アタッチメント２２は、アタッチメント２２が切断ヘッド１００に接続されるときに、切断ヘッド１００の静止切断部材１１５の第１及び第２の側面１１２、１１４をそれぞれ覆うように構成された、第１及び第２の側方部分２４、２６を含む。アタッチメント２２は、アタッチメント２２の第１の側方部分２４，２６を相互接続する中間部分２８を更に含む。中間部分２８は細長く、アタッチメント２２が切断ヘッド１００に接続されるときに、カッタ軸１２５に対して実質的に平行な方向に延びる。中間部分２８は、アタッチメント２２が切断ヘッド１００に接続されるときに、静止切断部材１１５の第１の壁部分１２０の外面１２０ｂ及び静止切断部材１１５の第３の壁部分１２０’の外面１２０’ｂを覆うように構成される。よって、アタッチメント２２は、アタッチメント２２が切断ヘッド１００に接続されるときに、切断ヘッド１００の皮膚対向面１２８の概ね上に位置する。アタッチメント２２は、使用中にユーザの皮膚に接触するように構成される上面３０を含む。この実施形態において、アタッチメント２２は、カッタ軸１２５に対して垂直である第１の中心平面について並びに第１の壁部分１２０に対して垂直であり且つカッタ軸１２５に平行である第２の中心平面について概ね対称的である。
【００３３】
第１の側方部分２４及び第２の側方部分２６は、それぞれ、静止切断部材１１５の第１及び第２の側面１１２、１１４を覆う。アタッチメント２２が切断ヘッド１００に接続されるとき、第１の側方部分２４及び第２の側方部分２６は、それぞれ、カッタ軸１２５に対して垂直であり且つ第１の壁部分１２０に平行である方向において第１の主カッタ歯１１８に対して突出する。同様に、アタッチメント２２が切断ヘッド１００に接続されるとき、第１の側方部分２４及び第２の側方部分２６は、それぞれ、カッタ軸１２５に対して垂直であり且つ第３の壁部分１２０’に平行である方向において第２の主カッタ歯１１８’に対して突出する。より具体的には、図４に示すように、第１及び第２の側方部分２４、２６は、距離ｏ１だけ第１の主カッタ歯１１８を越えて延び、距離ｏ２だけ第２の主カッタ歯１１８’を越えて延びる。等しい手又は異なる距離ｏ１及びｏ２が選択されてよい。一例において、距離ｏ１及びｏ２は、０．８ｍｍのような、０．２ｍｍ〜３ｍｍの間にあってよい。
【００３４】
アタッチメント２２の第１及び第２の側方部分２４、２６は、静止切断部材１１５の側面１１２、１１４のエッジがユーザの皮膚に接触することを防止し、従って、より快適なユーザ体験を提供することがある。また、アタッチメント２２の突出する第１及び第２の側方部分２４、２６は、第１及び第２の主カッタ歯１１８、１１８’によってユーザの皮膚に加えられる圧力も低下させる。これは、切断ヘッド１００が局所的な皮膚輪郭に従うことを可能にするよう、切断ヘッド１００がピボット軸Ｐについて枢動する場合に、特に当て嵌る。ピボット軸Ｐについての切断ヘッド１００の枢動運動は、皮膚によって切断ヘッド１００に加えられるピボット軸Ｐの周りの機械的トルクに起因する。アタッチメント２２が切断ヘッド１００に接続されていない状態において、前記機械的トルクは、主カッタ歯１１８、１１８’に加えられる皮膚接触力に主に起因する。第１及び第２の主カッタ歯１１８、１１８’の先端間の距離（即ち、切断ヘッド１００のいわゆる「深さ」）は比較的小さいので、切断ヘッド１００を枢動させるために必要な主カッタ歯１１８、１１８’に加えられるそのような皮膚接触力は比較的大きいことがあり、皮膚の刺激、切傷、及び／又は摩耗を引き起こすことがある。アタッチメント２２が切断ヘッド１００に接続されている状態において、前記機械的トルクは、主カッタ歯１１８、１１８’に対して突出するアタッチメント２２の第１及び第２の側方部分２４、２６の部分に加えられる皮膚接触力に起因するか、或いはそのような皮膚接触力によって少なくとも増大される。図４に示すように、側方部分２４、２６の（カッタ軸１２５に対して垂直であり且つ第１の壁部分１２０に平行である方向における）深さＣは、本明細書で前述のように、切断ヘッド１００の深さよりも大きいので、第１及び第２の側方部分２４、２６に加えられる皮膚接触力は、ピボット軸Ｐの周りでより効果的な機械的トルクを引き起こし、それにより、主カッタ歯１１８、１１８’に加えられる皮膚接触力を強く減少させ、皮膚の快適性を強く増加させる。その結果、ユーザが切断ヘッド１００に力を加えるとき、この力は、より広い皮膚接触領域に亘って分散され、それは適用圧力を低下させるように作用する。切断ヘッド１００の前記深さが５ｍｍ〜１１ｍｍの範囲内にある例において、アタッチメント２２の側方部分２４、２６の深さＣは、８ｍｍ〜１４ｍｍの間、例えば、１２．６ｍｍであってよい。
【００３５】
アタッチメント２２の第１の側方部分２４は、アタッチメント２２が切断ヘッド１００に接続されるときに、静止切断部材１１５の対向する第３及び第４の側方部分１１７、１１９の近くにそれぞれ配置され、切断ヘッド１００の第１及び第２の切断ゾーン１０６、１０８にそれぞれ面する、第１及び第２の内壁部分３２、３４を含む。同様に、アタッチメント２２の第２の側方部分２６は、アタッチメント２２が切断ヘッド１００に接続されるときに、静止切断部材１１５の対向する第３及び第４の側方部分１１７、１１９の近くにそれぞれ配置され、切断ヘッド１００の第１及び第２の切断ゾーン１０６、１０８にそれぞれ面する、第１及び第２の内壁部分３６、３８を含む。前記第１の内壁部分３２、３６のペアは、静止切断部材１１５の第１の壁部分１２０に平行な平面内で発散し、前記第２の内壁部分３４、３８のペアは、静止切断部材１１５の第３の壁部分１２０’に平行な平面内で分岐する。第１及び第２の内壁部分３２、３６、３４、３８の分岐するペアは、使用中にカッタ軸１２５に平行な方向に皮膚を伸長させるのに役立つ。これは毛除去プロセスを改良することがあり、皮膚損傷の可能性を減少させることがある。
【００３６】
アタッチメント２２の第１及び第２の側方部分２４、２６は、それぞれ、アタッチメント２２が切断ヘッド１００に接続されるときの、第１の壁部分１２０に平行な断面平面において見られるときに、凸状外面５４、５６を有する。図４に示す実施形態において、第１及び第２の側方部分２４、２６の凸状外面５４、５６は、概ね半円形の形状を有する。第１の壁部分１２０に平行な前記断面平面における前記凸状外面５４、５６の曲率半径Ｒは、第１及び第２の側方部分２４、２６の深さＣの０．５〜２倍の間、即ち、カッタ軸１２５に対して垂直であり且つ第１の壁部分１２０に平行である方向における第１及び第２の側方部分２４、２６の長さの０．５〜２倍の間にあってよい。第１及び第２の側方部分２４，２６の湾曲した形状は、ユーザの皮膚の快適性を更に向上させる。
【００３７】
図５を参照すると、アタッチメント２２の第１及び第２の側方部分２４、２６の凸状外面５４、５６は、それぞれ、アタッチメント２２が切断ヘッド１００に接続されているときの、第１の壁部分１２０に対して垂直であり且つカッタ軸１２５に平行である断面において見られるときにも、凸状である。図５に示す実施形態において、凸状外面５４、５６は、それぞれ、第１の壁部分１２０に対して垂直であり且つカッタ軸１２５に平行である前記断面平面において、第１の湾曲区画４０と、第２の湾曲区画４２とを含む。凸状外面５４、５６の記第１の湾曲区画４０は、１ｍｍ〜５ｍｍの間、例えば、３．６ｍｍであってよい、前記断面平面における曲率半径Ｒ１を有し、凸状外面５４、５６の第２の湾曲区画４２は、０．２ｍｍ〜３ｍｍの間、例えば、０．８ｍｍであってよい、前記断面における曲率半径Ｒ２を有する。第１及び第２の側方部分２４，２６の凸状外面５４，５６の第１及び第２の湾曲区画４０，４２は、ユーザの皮膚の快適性を更に向上させる。
【００３８】
戻って図４及び図６を参照すると、アタッチメント２２の中間部分２８は、アタッチメント２２が切断ヘッド１００に接続されるときの、カッタ軸１２５に対して垂直であり且つ第１の壁部分１２０に平行である方向において見られるときに、深さｃを有し、深さｃは、本明細書で以前に定義した切断ヘッド１００の深さ未満である。図４に示す実施形態において、中間部分２８の深さｃは、カッタ軸１２５に対して垂直であり且つ第１の壁部分１２０に平行である前記方向における静止切断部材１１５の第１及び第２の主カッタ歯１１８、１１８’の基部、即ち、近位端の間の距離に略等しい。中間部分２８は、アタッチメント２２が切断ヘッド１００に接続されるときに、カッタ軸１２５に平行な方向に延びる第１の連続的な長手方向エッジ４２と、第１の連続的な長手方向エッジ４２に平行に延びる第２の連続的な長手方向エッジ４４とを含む。また、中間部分２８の深さｃは、平行な第１及び第２の連続的な長手方向エッジ４２，４４の間の距離によって定められてもよい。アタッチメント２２が切断ヘッド１００に接続された図４に示す実施形態において、第１の連続的な長手方向エッジ４２は、第１の主カッタ歯１１８の基部と整列させられ、且つ第１の主カッタ歯１１８の基部に隣接して延び、第２の連続的な長手方向エッジ４４は、第２の主カッタ歯１１８’の基部と整列させられ、第２の主カッタ歯１１８’の基部に隣接して延びる。
【００３９】
中間部分２８は、アタッチメント２２の上面３０を含む細長い壁を有し、第１及び第２の対向する細長い側面４６、４８を更に含む。アタッチメント２２が切断ヘッド１００に接続されるときに、細長い壁、上面３０、並びに第１及び第２の側面４６、４８は、カッタ軸１２５に平行に延びる。細長い壁の第１の側面４６は、上面３０と中間部分２８の第１の連続的な長手方向エッジ４２との間に延在し、第２の側面４８は、アタッチメント２２の上面３０と中間部分２８の第２の連続的な長手方向エッジ４４との間に延在する。上面３０は、図６に示すように、カッタ軸１２５に対して垂直な断面において見られるときに、凸状プロファイルを有する。図６の実施形態において、上面３０は、曲率半径ｒ１を有する。第１及び第２の側面４６、４８も、それぞれ、図６に示すように、カッタ軸１２５に対して垂直な断面において見られるときに、凸状プロファイルを有する。図６の実施形態において、第１及び第２の側面４６、４８は、それぞれ、曲率半径ｒ２を有する。図６に示す実施形態において、ｒ１は、１０ｍｍ〜５０ｍｍの間、例えば、２１ｍｍであってよく、ｒ２は、ｈの０．２〜２倍の間、例えば１．４ｍｍであってよく、ここで、ｈは、図６に示すように、第１の壁部分１２０に対して垂直な方向における中間部分２８の細長い壁の最大高さ又は最大厚さである。図６に示す実施形態において、高さｈは、０．２ｍｍ〜４ｍｍの間、例えば、１．６ｍｍであってよい。アタッチメント２２の中間部分２８の第１及び第２の側面４６、４８並びに上面３０の湾曲した幾何学的形状は、ユーザの皮膚の快適性を向上させることがある。
【００４０】
図４に示すように、アタッチメント２２は、第１及び第２の側方部分２４、２６によって並びに中間部分２８によって定められ、且つ中間部分２８の第１の連続的な長手方向エッジ４２によって並びに第１及び第２の側方部分２４、２６の第１の内壁部分３２、３６の湾曲したエッジによって境界付けられる、第１の凹部６４を含む。アタッチメント２２は、第１及び第２の側方部分２４、２６によって並びに中間部分２８によって定められ、且つ中間部分２８の第２の連続的な長手方向エッジ４４によって並びに第１及び第２の側方部分２４、２６の第２の内壁部分３４、３８の湾曲したエッジによって境界付けられる、第２の凹部６６を更に含む。第１の凹部６４及び第２の凹部６６は、概ね細長く、アタッチメント２２が切断ヘッド１００に接続されるときに、一般に、カッタ軸１２５に平行な方向に延びる。アタッチメント２２が切断ヘッド１００に取り付けられた状態の図４に最良に示されているように、第１の凹部６４は、切断ヘッド１００の第１の主カッタ歯１１８を露出させ、第２の凹部６６は、切断ヘッド１００の第２の主カッタ歯１１８’を露出させる。アタッチメント２２が切断ヘッド１００に接続された状態の図４に示す実施形態において、第１の凹部６４及び第２の凹部６６は、それぞれ、第１及び第２の切断ゾーン１０６、１０８の長さＺの大部分に等しい距離に亘って、カッタ軸１２５に平行な方向に延び、第１の凹部６４及び第２の凹部６６は、それぞれ、前記距離に亘って、カッタ軸１２５に平行な方向において連続的である、即ち、中断されていない。これは、第１及び第２の主カッタ歯１１８、１１８’が、第１及び第２の切断ゾーン１０６、１０８の長さＺの大部分に亘って、第１及び第２の凹部６４、６６によって露出されることを意味する。即ち、第１及び第２の切断ゾーン１０６、１０８は、それらの長さＺの大部分に亘って、カッタ軸１２５に平行な方向において連続的に露出され、中断されない。図４に示す実施形態において、第１及び第２の凹部６４、６６は、第１及び第２の切断ゾーン１０６、１０８の長さＺの少なくとも９０％の距離に亘って連続的である。しかしながら、代替的な実施形態において、第１及び第２の凹部６４、６６は、長さＺの９０％よりも短い距離に亘って、カッタ軸１２５に平行な方向において連続的であり、中断されなくてよく、前記距離は、第１及び第２の凹部６４、６６について異なってよいことが理解されるべきである。一般的に、本発明によれば、アタッチメント２２が切断ヘッド１００に接続されるとき、第１及び第２の凹部６４、６６は、カッタ軸１２５に平行な方向に延び、それぞれ、第１及び第２の切断ゾーン１０６、１０８の長さの少なくとも５０％の距離に亘って、カッタ軸１２５に平行な方向において中断されない。
【００４１】
使用中、アタッチメント２２は切断ヘッド１００に接続された状態で、アタッチメント２２の中間部分２８の上面３０は、最初に皮膚に接触し、皮膚をアタッチメント２２の前方の領域から離れる方向に押し下げる。中間部分２８の第１及び第２のプロファイル化された側面４６、４８も、皮膚を第１及び第２の切断ゾーン１０６、１０８の前方及び周囲の領域から離れる方向に引き下げる。従って、皮膚は、主カッタ歯１１８、１１８’で起こることがある局所的に高い接触力に曝されない。従って、皮膚の擦過傷、皮膚の切傷、疼痛及び／又は皮膚の刺激が減少させられ或いは解消される。アタッチメント２２を「歯なし(toothless)」と記載することができる。何故ならば、コーム歯(櫛歯)が設けられていないあらである。これは従来的なクリップオンコームアタッチメント(clip-on  comb  attachment)と対照的であり、クリップオンコームアタッチメントは、例えば、カッタ軸に対して垂直な方向に配置され、カッタ歯と重なり合う、複数のコーム歯を含む。本発明者は、特に本明細書に記載するタイプの切断ヘッドについて、曲げられた断面を有する複数の主カッタ歯が設けられる、曲げられた中間壁部分によって相互に接続される第１の壁部分と第２の壁部分とを含む静止切断部材を用いることで、並びに静止切断部材の第１及び第２の壁部分によって囲まれる案内空間内で往復動式に移動可能なであり、且つ静止切断部材の主カッタ歯と協働する複数の副カッタ歯を含む、可動切断部材とを用いることで、そのような「歯なし」アタッチメント２２は、アタッチメント２２の皮膚保護効果と、曲げられた中間壁部分によって囲まれる曲げられた中間壁部分内の可動切断部材の移動する副カッタ歯及び静止切断部材の曲げられた主カッタ歯の構成との組み合わせの結果として、皮膚の快適性とシェービング又はトリミング性能との好ましい組み合わせを提供することができることを見出した。
【００４２】
アタッチメント２２を単一の材料から一体的に形成してよい。アタッチメント２２が皮膚の表面を亘って移動させられるときに、アタッチメントが極めて僅かなドラグ又は摩擦を生成するように、アタッチメント２２は、低摩擦材料から形成されてよい。例えば、アタッチメント２２は、低摩擦ゴム、合成ゴム、シリコーン、プラスチック材料、（射出成形によって形成されてよい）熱可塑性材料、セラミック、ガラス及び金属のうちの少なくとも１つから作られてよい。
【００４３】
更に、毛切断デバイスが使用されるべき皮膚の領域に依存して、ユーザがアタッチメントを容易に取り付けることができ且つ取り外すことができるように、アタッチメント２２は、切断ヘッド１００に接続可能であり且つ切断ヘッド１００から取り外し可能であるように構成される。好ましい実施形態において、アタッチメント２２は、解放可能なスナップオンコネクタによって切断ヘッド１００に接続可能である。図５に概略的に示すように、そのような解放可能なスナップオンコネクタは、弾性的に変形可能なエッジ部分７２によって形成されてよく、エッジ部分７２は、アタッチメント２２の第１及び第２の側方部分２４、２６に形成され、静止切断部材１１５の第１及び第２の側面１１２、１１４の周りにクランプされてよい。
【００４４】
図示する実施形態において、切断ヘッド１００は、第１及び第２の切断ゾーン１０６、１０８を有するが、単一の切断ゾーンを備える切断ヘッドを有する毛切断システムにも本発明を適用することができる。そのような実施形態において、アタッチメントは、前記単一の切断ゾーンのみの主カッタ歯に対して突出する第１及び第２の側方部分を有してよく、アタッチメントは、第１及び第２の側方部分によって並びに中間部分によって定められ、前記単一の切断ゾーンの主カッタ歯を露出させる、単一の凹部のみを有してよい。
【００４５】
１つ又はそれよりも多くの例を参照して一例として本発明を記載したが、当業者は、本発明が開示の例に限定されず、添付の特許請求の範囲によって定義されるような本発明の範囲から逸脱することなく、代替的な例が構築されてよいことを理解するであろう。
【図１】
2020523121.tif 000003
【図２】
2020523121.tif 000004
【図３】
2020523121.tif 000005
【図４】
2020523121.tif 000006
【図５】
2020523121.tif 000007
【図６】
2020523121.tif 000008
【国際調査報告】
2020523121.tif 000009
2020523121.tif 000010